(57)【要約】【課題】血管など網状構造物の構造物像、及び実質臓器など階調性のある組織像を、それらの位置関係を正確に観察できるように表示でき、組織像に基づく３次元情報と、血管などの構造物画の３次元情報とから、定量パラメータを正確に得ることができる医用画像診断装置を提供することを目的とする。【解決手段】実質組織画像Ｔ及び血管像Ｓを次のようにして合成表示する。まず、実質組織画像Ｔの所定の断面の断層像Ｔ1と、断層像Ｔ1よりもＺ軸に沿って視点側（手前側）の血管像Ｓとを合成表示する。ここで、操作者がマウスやキーボード等を含む操作手段から所定の操作入力を行うことで、表示する断層像の位置をＺ軸に沿って変化させる。３次元の実質組織画像を構成する２次元断層像（Ｂモード像）をあたかも書物の頁をめくるように順次に表示させることができる。【選択図】図１
2008080158.tif 000002
【特許請求の範囲】
【請求項１】
第１の撮影モードにより第１の３次元画像データを収集し、第２の撮影モードにより当該第１の３次元画像データと位置座標を対応させて第２の３次元画像データを収集する収集手段と、
前記収集手段により収集された前記第１の３次元画像データから断層像を生成する断層像生成手段と、
前記収集手段により収集された前記第２の３次元画像データから３次元画像を生成する３次元画像生成手段と、
前記３次元画像生成手段により生成された３次元画像の特定領域を、前記断層像生成手段により生成された断層像に基づいて設定する領域設定手段と、
前記第２の撮影モードにより収集された３次元画像データのうち、前記領域設定手段により設定された特定領域のデータに基づいて被検体の生体情報を計算する計算手段と、
を具備することを特徴とする医用画像診断装置。
【請求項２】
前記第１及び第２の３次元画像データの少なくともいずれか一方は、超音波画像データであることを特徴とする請求項１記載の医用画像診断装置。
【請求項３】
前記第１の撮影モードは超音波診断装置のＢモードであり、前記断層像生成手段が生成する断層像はＢモード画像であることを特徴とする請求項１記載の医用画像診断装置。
【請求項４】
前記第２の撮影モードは超音波診断装置のドプラモードであり、前記３次元画像生成手段が生成する３次元画像は、ドプラモード画像であることを特徴とする請求項１記載の医用画像診断装置。
【請求項５】
前記断層像生成手段が生成する断層像は、被検体の臓器実質を表す組織画像であることを特徴とする請求項１記載の医用画像診断装置。
【請求項６】
前記３次元画像生成手段が生成する３次元画像は、被検体の血流を表す構造物画像であることを特徴とする請求項１記載の医用画像診断装置。
【請求項７】
第１の撮影モードにより第１の３次元画像データを収集し、第２の撮影モードにより当該第１の３次元画像データと位置座標を対応させて第２の３次元画像データを収集する収集手段と、
前記収集手段により収集された前記第１の３次元画像データから第１の３次元画像を生成する第１生成手段と、
前記収集手段により収集された前記第２の３次元画像データから第２の３次元画像を生成する第２生成手段と、
前記第１生成手段により生成された第１の三次元画像と、前記第２生成手段により生成された第２の３次元画像とを両者の位置を整合させて合成する合成手段と、
前記合成手段により合成された画像を表示する表示手段と、
を具備することを特徴とする医用画像診断装置。
【請求項８】
前記第１及び第２の３次元画像データの少なくともいずれか一方は、超音波画像データであることを特徴とする請求項７記載の医用画像診断装置。
【請求項９】
前記第１の撮影モードは超音波診断装置のＢモードであり、前記第１生成手段はＢモードの３次元画像を生成することを特徴とする請求項７記載の医用画像診断装置。
【請求項１０】
前記第２の撮影モードは超音波診断装置のドプラモードであり、前記第２生成手段は、ドプラモードの３次元画像を生成することを特徴とする請求項７記載の医用画像診断装置。
【請求項１１】
前記第１生成手段が生成する第１の３次元画像は、被検体の臓器実質を表す組織画像であることを特徴とする請求項７記載の医用画像診断装置。
【請求項１２】
前記第２生成手段が生成する第２の３次元画像は、被検体の血流を表す構造物画像であることを特徴とする請求項７記載の医用画像診断装置。
【発明の詳細な説明】
【技術分野】
【０００１】
本発明は、医用画像の３次元（３Ｄ）表示に関し、特に、生体内の実質臓器を形成する組織を表す画像と血管等の構造物を表す画像とを、診断あるいは治療に適した分かりやすい形で提供する医用画像診断装置、及び３次元の医用画像に基づいて生体に関する定量パラメータを得る医用画像診断装置に関する。
【背景技術】
【０００２】
生体内の血管構造を立体的に把握することは、種々の診断を行う上で重要である。例えば、肝臓内の肝腫瘍に入り込む栄養血管を把握することは悪性良性の鑑別や治療効果の判定において重要であり、また、腎機能を評価する上では腎臓内の血流の環流状態がその指標になる。
【０００３】
しかし、血管構造の３次元情報のみからでは、適切な診断をする上で不十分な場合が多い。例えば、肝腫瘍の付近に血管が検出・映像化され、血管の３Ｄ画像が得られたとしても、その血管の腫瘍が栄養血管か否かを判断するためには、血管が腫瘍の内部に入り込んでいるか否かを知る必要がある。しかし、腫瘍像が無く血管像のみからでは、腫瘍の位置を知ることができないので診断は行えない。また、腎血流についても、腎臓の実質又は表面がどこにあるかがわからなければ、腎表面付近まで血流が環流しているか否かは明らかでない。つまり、血流または血管の画像と位置関係が保たれている実質臓器の画像が同時に得られ、かつ表示されることなくして十分な診断は行えない。
【０００４】
また、近年、血流量や血管造成の豊富さを定量的に示すことが重要となってきている。しかしながら、従来では、定量パラメータの計算範囲を血管像単独で決定することはできず、定量パラメータを十分な信頼性をもって得ることができないという問題があった。また、十分に定量性のあるパラメータを得ること自体困難であるという問題もあった。
【発明の開示】
【発明が解決しようとする課題】
【０００５】
本発明は上述した事情を考慮してなされたものであり、その目的は以下の医用画像診断装置を提供することにある。
【０００６】
（１）血管など網状構造物の構造物像、及び実質臓器など階調性のある組織像を、それらの位置関係を正確に観察できるように表示する医用画像診断装置。
【０００７】
（２）組織像に基づく３次元情報と、血管などの構造物画の３次元情報とから、定量パラメータを正確に得ることができる医用画像診断装置。
【課題を解決するための手段】
【０００８】
上記課題を解決し目的を達成するために、本発明の医用画像診断装置は次のように構成されている。
【０００９】
すなわち、本発明の医用画像診断装置は、血管などの構造物の３次元情報と実質臓器などの組織の３次元情報を、異なる撮影モードにより、両者の位置関係を保持したまま収集する。さらに、
（１）組織像の断面像（２次元画像）と構造物の３次元画像とを座標を対応させて同一画面上に表示し、断面像の前後で３次元画像の表示領域を変化させる。
【００１０】
（２）構造物に対する定量パラメータを得る際、パラメータを得る範囲を組織像の３次元情報に基づいて指定し、その指定範囲に対応する構造物像の３次元情報から定量パラメータを求める。
【００１１】
（３）範囲設定だけではなく、定量パラメータの計算自体に、組織像の３次元情報と構造物像の３次元情報の両者を用いる。
【発明の効果】
【００１２】
本発明によれば、以下の医用画像診断装置を提供できる。
【００１３】
（１）血管など網状構造物の構造物像、及び実質臓器など階調性のある組織像を、それらの位置関係を正確に観察できるように表示する医用画像診断装置。
【００１４】
（２）組織像に基づく３次元情報と、血管などの構造物画の３次元情報とから、定量パラメータを正確に得ることができる医用画像診断装置。
【発明を実施するための最良の形態】
【００１５】
以下、図面を参照しながら本発明の実施形態を説明する。
【００１６】
臓器実質の情報と、血管のような構造物の情報とを同時に得ることができる画像診断機器の実施形態としては、超音波診断装置やＸ線コンピュータ断層撮影装置（ＣＴ）、磁気共鳴イメージング装置（ＭＲＩ）などが挙げられる。
【００１７】
以下に述べる第１〜第４実施形態は、本発明を超音波診断装置に適用したものである。超音波診断装置により、Ｂモード撮影（第１の撮影モード）によって臓器実質の組織像を得るとともに、ほぼ同じ時刻の構造物像（血管像）をカラードプラモード（第２の撮影モード）によって得る。これらＢモード撮影像と、カラードプラ撮影像とは、画像の位置座標が対応する。また、１次元アレイ超音波プローブを機械的若しくは人為的に扇動させること、又は２次元アレイ超音波プローブを用いることで、両撮影モードそれぞれの３次元の画像データ（ボリュームデータ）をほぼ同時に得ることができる。当然ながら、両撮影モードのボリュームデータも、空間的な位置座標は対応する。
【００１８】
カラードプラモードにより得られる情報は、基本的には、血流速度と血流からの反射信号のパワーとからなる２種類の情報であるが、パワー情報の方が血流速度情報よりも血管像の構築に適している。このため、第１乃至第４実施形態では、パワー情報に基づく画像を想定するが、速度情報に基づく画像、あるいは他の情報に基づく画像を適用しても良い。
【００１９】
例えば、近年では、造影剤を用いて血管像若しくは臓器実質内のパフュージョンを映像化する手法、例えばコントラストエコー法又はハーモニックイメージング法若しくはフラッシュエコーイメージング法と呼ばれるイメージング手法が提案されている。これらのイメージング手法を適用する場合であっても本発明は実施可能である。
【００２０】
以上述べたことを纏めると、本発明では、異なる撮影モードに従い、位置座標を対応させて撮影モード毎に（少なくとも一方は３次元の）画像データを収集し、両者を弁別して処理可能なように画像メモリのような記憶手段に記憶する。
【００２１】
（第１の実施形態）
本実施形態の超音波診断装置は、指定領域の断面又は複数断面の２次元断層像を組織像として表示する。また、組織像とは異なる撮影モードの収集データに基づいて３次元の構造物像を構築し、組織像と組み合わせて表示する。
【００２２】
図１は、本発明の医用画像診断装置の第１実施形態に係る超音波診断装置により、組織像及び構造物像を収集して合成し、これを表示するまでの処理の流れを示すフローチャートである。
【００２３】
先ず、ステップＳ１に示すように、超音波診断装置により３Ｄデータを収集する。収集は、２種類の撮影モード、すなわちＢモードとカラードプラモードによ基づいて行われ、これらの撮影モードに応じ、Ｂモードの３Ｄデータと、カラードプラモードの３Ｄデータとが収集される。
【００２４】
次に、ステップＳ２に示すように、収集された各々の３Ｄデータを元に組織画像（f(x,y,z)：白黒の階調画像）、及び構造物画像（g(x,y,z)：カラー画像）の2種類の画像を生成する。
【００２５】
さらに、ステップＳ３において、組織画像を元に、断面変換（ＭＰＲ）処理及びテクスチャマッピング等の画像処理を行って断層像F(x,y,z)を生成するとともに、ステップＳ４において構造物画像を元に３Ｄ画像G(x,y,z)を生成する。
【００２６】
ステップＳ５においては、３Ｄ画像G(x,y,z)に対し適切な透過度を設定してボリュームレンダリング等の画像処理を施すか、又は３Ｄ画像G(x,y,z)の特定部分のデータを切り出してボリュームレンダリング等の画像処理を行うことでG’(x,y,z)を得る。しかる後、断層像F(x,y,z)と画像処理後の３Ｄ画像G’(x,y,z)とを合成し、合成画像F(x,y,z)+G’(x,y,z)を得る。そしてステップＳ６において合成画像F(x,y,z)+G’(x,y,z)を表示する。
【００２７】
ここで、ステップＳ３〜ステップＳ５における画像の生成および表示について具体的に説明する。
【００２８】
図２は、本発明の第１実施形態における表示方法の基本的な概念を示したものであり、腫瘍を含んだ領域の実質組織像と血管像（構造物像）とを合成して表示する過程を示す図である。図２（ａ）は実質組織画像を示している。この実質組織画像Ｔ内に示されている点線は、例えば球体の腫瘍Ｔtを表す。また、実質組織画像Ｔの全体は複数枚の２次元断層像から構成される。一方、図２（ｂ）は構造物画像（ここでは血管像）を示している。
【００２９】
これら図２（ａ）及び（ｂ）に示される実質組織画像Ｔ及び血管像Ｓは、次のようにして合成表示される。
【００３０】
まず図２（ｃ）に示すように、実質組織画像Ｔの所定の断面（Ｚ軸上の初期位置におけるＸＹ面）の２次元断層像Ｔ1と、断層像Ｔ1よりもＺ軸に沿って視点側（手前側）の部分に関する血管の３Ｄ像Ｓ、とが合成表示される。つまりここでは、断層像Ｔ1よりも奥側については、血管の３Ｄ像を表示しない。
【００３１】
ここで、操作者は、マウスやキーボード等を含む操作手段から所定の操作入力を行うことで、表示する断層像の位置をＺ軸に沿って変化させることが可能となっている。これにより、３次元の実質組織画像を構成する２次元断層像（Ｂモード像）を、あたかも書物の頁をめくるように、順次に表示させることができる。
【００３２】
図２（ｄ）は、操作手段によりＺ軸上の位置をＴ1よりも奥側にずらした場合における断層像Ｔ2を示しており、図２（ｅ）は、Ｚ軸上の位置をＴ2よりもさらに奥側にずらした場合における断層像Ｔ3を示している。
【００３３】
また、操作手段による断層像Ｔ1〜Ｔ3までの表示更新に伴って、血管像Ｓの表示も図２（ｃ）〜（ｅ）に示すように自動的に更新される。
【００３４】
かくして操作者は、断層像の表示位置を変化させる（表示領域操作）ことで、血管３Ｄ像の表示領域を変化させることができ、このような領域操作を繰り返し行うことで、組織像によって示される腫瘍と血管（像）との位置関係を正確に観察することができるようになる。
【００３５】
図３は、このような表示領域操作の他の例を示す図である。図２の例では、ＸＹ面の断層像のみを表示するものとなっていたが、図３の例においては、ＸＹ面の断層像Ｔxyに加えて、ＹＺ面の断層像Ｔyzも表示する。また、図２の例ではＺ方向のみについて組織像の表示位置を変化させるものであったが、図３に示す例では、操作手段により断層像ＴxyのＺ方向（矢印Ａ方向）の位置、及び断層像ＴyzのＸ方向（矢印Ｂ方向）の位置を変化させることが可能であり、組織像の表示領域を多方向について変化させることができる。なお、表示領域を任意の形に変化させても良いことは勿論である。
【００３６】
図４は、ＸＹＺ軸を所定角度だけ回転させた場合の合成表示例を示す図である。この例においては、血管構造の基端側Ｓaのみならず先端側Ｓbも表示される。また、断層像Ｔnの位置は、Ｚ方向に沿って矢印Ｃ方向に沿って変化させることができる。
【００３７】
図５は、組織像の表示領域により隠されてしまう血管像を組織像から透けてみえる様に表示した場合の合成表示例を示す図である。この例においては、血管構造の基端側Ｓcが３Ｄ表示されるとともに、断層像Ｔnの位置よりも先端側の血管像Ｓdが、断層像Ｔnを通して透けて見えるように表示される。これは断層像Ｔnの透過度を変更したことによる。
【００３８】
図６は、２つの３Ｄ像を並べて表示した場合を示す図である。この例においては、断層像Ｔnによって互いに区分される３次元の表示領域Ｖ1及びＶ2のうち、領域Ｖ1側（視点側）の血管像Ｓ1と、領域Ｖ2側（断層像Ｔnよりも奥側）の血管像Ｓ2とが並べて表示される。
【００３９】
以上説明したような表示法によれば、操作者は組織像と構造物の位置関係を正確に且つ多面的に把握することができるようになる。なお、操作者は、組織像の領域や断面だけでなく、視点の方向も同時に変えられるようにすることで、より詳細な観察が可能になる。
【００４０】
（第２の実施形態）
得られた３Ｄ情報から、例えば腫瘍栄養血管の豊富を示す何らかの指標（定量パラメータ）得ようとする際、その範囲をどのように決定するかは重要な問題である。
【００４１】
図７は、本実施形態に係る組織像を用いた範囲設定法の例を説明するための図である。図７（ａ）に示すように、腫瘍の近くに腫瘍の栄養血管とは異なる血管が多数走行している場合を考える。血管像に基づいて個々の血管を個別に判定していくことは難しい作業である。一方、組織像によれば腫瘍の範囲が正確に把握できる。そこで、本実施形態では組織像（図７（ｂ））に基づいて定量化のための範囲を決定する。すなわち、本実施形態においては図７（ｃ）乃至（ｅ）に示すように、３方向の平面（ここでは、所定のＸＹ平面（図７（ｃ））、ＹＺ平面（図７（ｄ））、及びＸＺ平面（図７（ｄ）））の実質組織画像を表示するとともに、これらの画像上で腫瘍をトレースすることにより定量化のための範囲を設定するものとなっている。なお、図７（ｃ）乃至図（ｅ）において、ハッチングは腫瘍を示し、点線は設定範囲を示す。
【００４２】
より具体的には、ＸＹ平面の組織像上において、腫瘍の断面Ｔ1をトレースすることにより範囲設定情報Ｒ1を得、ＹＺ平面の組織像上において、腫瘍の断面Ｔ1をトレースすることにより範囲設定情報Ｒ2を得、ＸＺ平面の組織像上において、腫瘍の断面Ｔ3をトレースすることにより範囲設定情報Ｒ3を得る。
【００４３】
このようなトレース作業が必要ではあるが、本実施形態によれば明確な定義の元に定量パラメータを得ることができる。
【００４４】
図８は図７の場合と同様に組織像に対してトレースを行う場合の他の例を示す図である。この例では、図８に示すように実質組織画像の互いに平行な複数の断面ＸＹ−１〜ＸＹ−６からトレース面を選択するものとなっている。図８に、トレース面ＸＹ−１〜ＸＹ−６を示す。
【００４５】
図９は組織像上でトレースを行う際に、血管像と組織像の合成像上にもトレース曲線を表示する例を示す図である。この例ではトレースを行なう組織像Ｔn1上にトレース曲線Ｔc1（X-----X）が表示され、血管像Ｓと組織像Ｔn2の合成画像上にＴc1に相当するトレース曲線Ｔc2が表示される。
【００４６】
これにより、操作者は他の血管がトレース範囲外にあることを確認しながらトレース作業を行い得るため、トレースの精度をあまり気にしなくても済み、簡便且つ確実にトレースを行なえる。なお、血管像と組織像の合成画像上ではなく、血管像上にトレース曲線を表示するようにしても良い。
【００４７】
なお、以上説明した図８及び図９のいずれの例においても、トレースを行う断面像は、組織のみの像でも良いし、組織断層像に血管の同一断面像を重ね合わせた２次元合成像であっても良い。
【００４８】
また、トレースは、必ずしも操作者が手動で行なう必要はなく、なんらかのアルゴリズムに基づく自動トレースを行なうようにしても良い。
【００４９】
以上説明したように、第２実施形態によれば、定量化パラメータを計算する際の範囲を簡便かつ正確に設定できる。
【００５０】
（第３の実施形態）
定量パラメータを用いる際、構造物の情報からのみでは定量性に問題を生じる場合がある。本実施形態は、組織像からの情報も併せて用いることで、より定量性の高い情報を提供するものである。
【００５１】
例えば、超音波診断装置のカラードプラのパワー表示において、腫瘍内のドプラパワー値の総量から腫瘍内血流の豊富さ、すなわち「バスキュラリティ」を定量化する。その際に定量化の妨げは、ドプラパワー自体が装置や生体内の特性に影響されてしまう点にある。つまり、装置の送信パワーや受信感度が低い場合には、腫瘍のバスキュラリティは高くても、腫瘍内から得られるドプラパワー自体が小さくなってしまう。また、腫瘍が深い場所にある場合も超音波プローブ〜腫瘍間を音波が伝搬する際の生体内の減衰により、ドプラ信号も減衰してしまう。これらの要因はドプラ信号による定量性を著しく低下させる要因になっている。
【００５２】
上記の要因によるドプラ信号の変化は、同様に組織像にも作用する。そこで本実施形態では、組織像の信号を用いて補正を行う。
【００５３】
図１０は組織像の信号を用いた補正を説明するための図である。
【００５４】
ここでは、まず、ドプラ信号の腫瘍内のパワーの総量ＤＰを次式に従って求める。
【数１】
2008080158.tif 000003
【００５５】
次に、Ｂモード信号の腫瘍内のパワーの総量ＢＰを次式に従って求める。
【数２】
2008080158.tif 000004
【００５６】
そして、バスキュラリティ・インデックスｆ（ＤＰ，ＢＰ）を例えばＤＰ／ＢＰとして計算し、これに基づいて超音波プローブの送信パワー、受信感度等を補正する。
【００５７】
なお、ここでは、腫瘍内の組織像Ｔから補正信号を得るものとなっているが、補正用の領域として腫瘍以外の別の領域を指定しても良い。実際、腫瘍内においては、腫瘍の性質によって信号の強さが大きく変わる可能性があり、送信パワー・受信感度等を補正するためには適切でない場合もある。
【００５８】
ところで、超音波診断装置に限定して言えば、通常、組織像はＢモード像を指すが、Ｂモード像とカラードプラ像とでは送信受信の条件が異なるため、求める情報に対する減衰等の影響が同等であるとは言えない。よって、補正に用いる組織像としてはＢモード像は最適でない。
【００５９】
図１１はこの問題を解決するための装置構造を示すブロック図である。同図において１は超音波プローブ、２は送信系、３は受信系、４はＢモード用信号処理系、５はカラードプラ処理系、９は表示系、１０は計測系、そして１１はモニタを示している。
【００６０】
ドプラ信号を得るためのカラードプラ処理系では、通常、組織からの信号を除去し、血流からの信号のみを表示するためにＭＴＩフィルタと呼ばれるＨＰＦ（低域遮断フィルタ）を具備している。
【００６１】
本実施形態のカラードプラ処理系５は、ＭＴＩフィルタ６を通した後にパワー計算を行なう自己相関演算部７と、ＭＴＩフィルタ６を通さないで受信系３からの信号を直接用いてパワー計算を行なう自己相関演算部８とを具備している。
【００６２】
このような構成によれば、自己相関演算部８によって得られるパワー値に基づくことで上述した定量化のための補正に適した組織像を得ることができる。
【００６３】
以上説明したように、第３実施形態によれば、定量化する際の誤差要因を補正でき、定量性の高いパラメータを求めることができる。
【００６４】
（第４実施形態）
上述した第１乃至第３実施形態は、Ｂモード撮影により得られた超音波２次元断層像（より正確には、一の断面又は複数の断面に関する超音波２次元断層像を特定の視点方向から見た図）を２次元の組織画像として表示し、カラードプラモード撮影により得られた収集データから３次元画像を生成し、３次元の構造物画像として表示するものであった。言い替えれば、２次元画像表示（対象物の２次元情報を2次元で表示）と３次元画像表示（対象物の３次元情報を２次元で表示）の組み合わせに関するものであった。
【００６５】
一方、本発明の第４実施形態は、これら第１乃至第３実施形態とは異なり、３次元の組織像と、３次元の血管像（構造物像）とを合成表示するものである。
【００６６】
図１２は本発明の医用画像診断装置の第４実施形態に係る超音波診断装置により３次元の組織像及び血管像を生成して表示するまでの処理の流れを示すフローチャートである。
【００６７】
先ずステップＳ１に示すように、本実施形態の超音波診断装置は、Ｂモード撮影により３Ｄデータを収集し、このＢモード撮影と同時に行われるカラードプラモード撮影により他の３Ｄデータを収集する。なお、Ｂモード撮影によれば、複数枚の２次元断層像を得ることができ、カラードプラモード撮影によれば、複数枚の血流画像（血管の構造を表す画像）を得ることができる。
【００６８】
これら３Ｄデータ収集は、１次元アレイ超音波プローブを機械的若しくは人為的に扇動させること、又は２次元アレイ超音波プローブを用いること、により行われる。なお、両撮影モードの３Ｄデータ（ボリュームデータ）は、空間的な位置座標が対応する。
【００６９】
次に、ステップＳ２において、Ｂモード撮影により得られた複数枚の２次元断層像から、例えば臓器実質内の腫瘍を関心領域として抽出する処理を行う。そして、抽出された腫瘍に対しボリュームレンダリング処理からなる３次元画像処理を施すことで、３次元の腫瘍像（組織像）を生成する（ステップＳ３）。なお、組織像からの抽出対象物は、腫瘍のみに限定されないことは勿論である。
【００７０】
次に、ステップＳ４において、カラードプラモード撮影により得られた複数枚の血流画像（血管の構造を表す画像）に対し、上記組織像と同様にボリュームレンダリング処理からなる３次元画像処理を施すことで、３次元の血管像（構造物像）を生成する。なお、ステップＳ２乃至ステップＳ３による腫瘍像の生成処理と、ステップＳ４における血管像の生成処理は、説明したように順番に行われても良いし、並列に行われても良い。
【００７１】
次に、ステップＳ５において、３次元の組織像と血管像とを合成する。ここでは、所定の視線方向を設定し、当該視線方向からの光源追跡を行い、腫瘍像と血管像との位置関係に応じて、各々の像のボクセルの透過度を設定する処理（陰面処理）により両画像の合成が行われる。
【００７２】
そして、ステップＳ５において合成された画像をステップＳ６において表示する。図１３Ａは、ある視線方向からの合成像の表示例を示す。図１３Ａにおいて、Ｔは腫瘍の３次元像、Ｖ１及びＶ２は３次元の血管像を示す。
【００７３】
また、Ｍは視線方向を設定するためのマーカーである。すなわち、このステップＳ６においては、操作者が上記マーカーＭを操作することで視線方向を変更することが可能となっており、かかる変更が行われた際には、視線方向に関するパラメータが変更されて上記ステップＳ２乃至Ｓ５の処理が繰り返され、表示内容が更新される。図１３Ｂは、視線方向を変更した場合の表示例を示す。
【００７４】
このような本実施形態によれば、組織像によって示される腫瘍と血管（像）との位置関係を正確に観察することができるようになる。
【００７５】
なお、本発明は上述した実施形態に限定されず種々変形して実施可能である。
【図面の簡単な説明】
【００７６】
【図１】本発明の第１実施形態に係る超音波診断装置による３Ｄデータ収集から画像合成までの処理の流れを示すフローチャート
【図２】腫瘍を含んだ領域の組織像と血管像とを合成して表示するまでの過程を説明するための図
【図３】断層像の表示位置を変化させることで、血管像の表示領域を変化させる様子を示す図
【図４】ＸＹＺ軸を所定角度だけ回転させた場合の合成表示例を示す図
【図５】組織像の表示領域により隠されてしまう血管像を組織像から透けてみえる様に表示した場合の合成表示例を示す図
【図６】２つの３次元像を並べて表示した場合を示す図
【図７】本発明の第２実施形態に係る超音波診断装置における組織像を用いた範囲設定法の例を説明するための図
【図８】組織像に対してトレースを行う場合の他の例を示す図
【図９】組織像上でトレースを行う際に、血管像と組織像の合成像上にもトレース曲線を表示する例を示す図
【図１０】組織像の信号を用いた補正を説明するための図
【図１１】本発明の第３実施形態に係る超音波診断装置の概略構成を示すブロック図
【図１２】本発明の第４実施形態に係る超音波診断装置により３次元の組織像及び血管像を生成して表示するまでの処理の流れを示すフローチャート
【図１３】ある視線方向及び他の視線方向からの合成像の表示例を示す図
【符号の説明】
【００７７】
１…超音波プローブ
２…送信系
３…受信系
４…Ｂモード用信号処理系
５…カラードプラ処理系
６…ＭＴＩフィルタ
７、８…自己相関演算部
９…表示系
１０…計測系
１１…モニタ
【図１】
2008080158.tif 000005
【図２】
2008080158.tif 000006
【図３】
2008080158.tif 000007
【図４】
2008080158.tif 000008
【図５】
2008080158.tif 000009
【図６】
2008080158.tif 000010
【図７】
2008080158.tif 000011
【図８】
2008080158.tif 000012
【図９】
2008080158.tif 000013
【図１０】
2008080158.tif 000014
【図１１】
2008080158.tif 000015
【図１２】
2008080158.tif 000016
【図１３】
2008080158.tif 000017